(57)【特許請求の範囲】
【請求項１】
表面に形成された折曲案内部にて折り曲げることにより形成された隣り合う二面を有する包装用台紙であって、
前記折曲案内部は、隣接する複数の折曲案内線を備え、
前記各折曲案内線は、それぞれ少なくともいずれか一方の端部に切り残しを生じるように形成された包装用台紙。
【請求項２】
前記各折曲案内線は、互いに平行となるように形成された請求項１に記載の包装用台紙。
【請求項３】
前記折曲案内部は、前記各折曲案内線の間隔が密である領域に隣接して前記各折曲案内線の間隔が疎である領域を有している請求項１又は２に記載の包装用台紙。
【請求項４】
前記隣り合う折曲案内線の間隔は、台紙厚みに対して０．５倍〜５倍である請求項１から３のいずれかに記載の包装用台紙。
【発明の詳細な説明】
【技術分野】
【０００１】
本発明は、包装用台紙に関する。
【背景技術】
【０００２】
芳香剤、除湿剤、食品等の商品を包装する手段として、包装用台紙の上に商品を載せ、シュリンクフィルム等の樹脂製フィルムで包装する方法が一般的に知られている。（例えば、特許文献１参照）。このようにして包装された包装パッケージの一例を図４に示す。図４に示すように、包装パッケージに用いられる包装用台紙５０は、商品５４を樹脂製フィルム５１により包装する過程で当該商品５４が移動しないように、当該台紙５０の縁を折り曲げて底面５２に対して側壁面５３が起立するように使用される。この側壁面５３を形成する際、側壁面５３を折り曲げ易くするために、包装用台紙表面における側壁面５３と底面５２との間に、包装用台紙５０の両側縁５６，５６の全幅にわたり一本のハーフカット状の折曲案内線（図示せず）が施されるのが一般的である。
【特許文献１】特開平６−２４４６４号公報
【発明の開示】
【発明が解決しようとする課題】
【０００３】
ところが、上記のような従来の包装用台紙５０に商品５４を載置して、当該台紙５０と当該商品５４とをシュリンクフィルム等の樹脂製フィルム５１により一体に包装した場合、包装用台紙５０の底面５２と側壁面５３との折曲部から樹脂製フィルム５１が破断するという問題があった。すなわち、底面５２に対して側壁面５３を折り曲げることにより、折曲部分の側面視形状が略直角形状となるため、当該折曲部分が破断の起点となるおそれがあった。
【０００４】
本発明は、このような問題を解決すべくなされたものであって、商品等を包装する樹脂製フィルムの破断を確実に防止できる包装用台紙の提供を目的とする。
【課題を解決するための手段】
【０００５】
本発明の上記目的は、表面に形成された折曲案内部にて折り曲げることにより形成された隣り合う二面を有する包装用台紙であって、前記折曲案内部は、隣接する複数の折曲案内線を備え、前記各折曲案内線は、それぞれ少なくともいずれか一方の端部に切り残しを生じるように形成された包装用台紙により達成される。
【０００６】
この包装用台紙において、前記各折曲案内線は、互いに平行となるように形成されていることが好ましい。
【０００７】
また、前記折曲案内部は、前記各折曲案内線の間隔が密である領域に隣接して前記各折曲案内線の間隔が疎である領域を有していることが好ましい。
【０００８】
また、前記隣り合う折曲案内線の間隔は、台紙厚みに対して０．５倍〜５倍であることが好ましい。
【発明の効果】
【０００９】
本発明によれば、商品等を包装する樹脂製フィルムの破断を確実に防止できる包装用台紙を提供することができる。
【発明を実施するための最良の形態】
【００１０】
以下、本発明の実施形態について添付図面を参照して説明する。図１は、本発明の一実施形態にかかる包装用台紙の平面図である。図１に示すように、包装用台紙１は、矩形状の厚紙であり、一定間隔で二ヶ所に平行に設けられている折曲案内部１０，１０によって第１側壁面１２、底面１３、及び第２側壁面１４に分離されている。包装用台紙１として、厚紙の他に、例えば、樹脂製シートや金属製シートを用いてもよく、あるいは、これらの積層体であってもよい。
【００１１】
折曲案内部１０は、互いに平行な一対の折曲案内線１１，１１を備えている。各折曲案内線１１，１１は両端に切り残し部を生じるように、ハーフカットにより形成された直線からなる。ここで、ハーフカットとは、包装用台紙１の厚みを不連続にする手段をいい、例えば、刃によって所定深さの切り溝を形成する切込部形成、又は、プレス加工によって所定幅及び所定深さの溝を形成する凹部形成等を含む概念である。切り残し部の長さは、包装用台紙の厚みや大きさ、材質等によって任意に設定するものであるが、５ｍｍ〜２０ｍｍの範囲が好ましく、特に５ｍｍ〜１０ｍｍの範囲が好適である。本実施形態では１０ｍｍとしている。
【００１２】
以上の構成を備えた包装用台紙１を用い、商品を樹脂製フィルムにより包装する方法について以下に説明する。
【００１３】
まず、第１側壁面１２及び第２側壁面１４を折曲案内部１０が外側となるようにして折り曲げることにより、底面１３に対して第１側壁面１２と第２側壁面１４とを起立させる。この折り曲げにより、一対の折曲案内線１１，１１の各延長線上に、一対の折筋Ｃ，Ｃが両側縁部において形成されるため、折曲形状は、側面視において一対の折筋Ｃ、Ｃの間で滑らかな曲線状となる。
【００１４】
次に、包装用台紙１の底面１３に商品を載せ、これらを樹脂製フィルムで囲繞することにより包装を行う。樹脂製フィルムとしては、例えば、シュリンクフィルム、ラップフィルム等が用いられる。本実施形態の包装用台紙１によれば、第１側壁面１２又は第２側壁面１４と底面１３との折曲部分の折曲形状を上述したように滑らかな曲線状にすることができるので、従来の包装用台紙５０において生じていた折曲部を起点とする樹脂製フィルムの破断を確実に防止することができる。
【００１５】
以上、本発明の一実施形態について説明したが、本発明の具体的な態様は上記実施形態に限定されない。
【００１６】
例えば、上記実施形態において、折曲案内部１０は二本の折曲案内線１１，１１を備えているが、二本以上の折曲案内線１１を備えてもよい。これにより、折曲部分を更に滑らかな曲線状とすることができるため、樹脂製フィルムの破断をより確実に防止することができる。
【００１７】
また、図２に示すように、各折曲案内線間の間隔を、折曲案内部１０の中央部では密に、外側では疎となるように折曲案内線１１を配置してもよい。これにより、樹脂製フィルムの破断のおそれが最も高い部分を十分に滑らかな曲線状としつつ、折曲部分の曲率を大きくできるので、樹脂製フィルムの破断をより確実に防止することができる。更に、全ての折曲案内線間の間隔を密な状態で折曲案内線１１を配置する場合と比較して、少ない折曲案内線１１で同様の効果を得ることができるため、製作コストを低廉に抑えることができるという利点を有する。
【００１８】
また、上記実施形態において、折曲案内線１１は、直線状としているが、曲線状であってもよい。例えば、図３に示すような曲線で形成される折曲案内線１１を有する包装用台紙１が挙げられる。このような包装用台紙１を折り曲げた場合、一対の折曲案内線１１，１１の各端部１１ａ，１１ａを通る一対の折筋Ｃ，Ｃが形成され、折曲形状は、一対の折筋Ｃ、Ｃの間で滑らかな曲線状となる。これにより、滑らかな曲線状の折曲形状を維持しつつ、一対の折曲案内線１１，１１の間で挟まれた領域を所望の形状とすることができる。
【００１９】
また、図１において示される各折曲案内線間の間隔Ｓは、台紙厚みに対して０．５倍〜５倍、好ましくは０．５倍〜２倍、より好ましくは０．８倍〜１．２倍である。間隔Ｓが、小さすぎると互いに平行な一対の折曲案内線１１，１１を設けた効果が十分得にくくなる一方、大きすぎると折筋Ｃが形成されにくくなるので、いずれの場合においても、折曲部分の側面視形状を滑らかな所望の曲線状とすることが困難になる。
【００２０】
また、上記実施形態において、包装用台紙１は、第１側壁面１２と第２側壁面１４とを有しているが、いずれか一方のみを有する形状であってもよい。
【００２１】
また、上記実施形態において、素材シートは矩形状に形成されているが、例えば、楕円形状、円形状等の任意の形状を採用できることはいうまでもない。
【図面の簡単な説明】
【００２２】
【図１】本発明の一実施形態に係る包装用台紙の平面図である。
【図２】本発明の他の実施例を示す平面図である。
【図３】本発明の更に他の実施例を示す平面図である。
【図４】従来の包装用台紙を用いた包装パッケージを示す斜視図である。
【符号の説明】
【００２３】
１    包装用台紙
１０    折曲案内部
１１    折曲案内線
１１ａ  端部
１２    第１側壁面
１３    底面
１４    第２側壁面
【要約】
【課題】  商品等を包装する樹脂製フィルムの破断を確実に防止できる包装用台紙を提供する。
【解決手段】  表面に形成された折曲案内部１０にて折り曲げることにより形成された隣り合う二面を有する包装用台紙であって、折曲案内部１０は、隣接する複数の折曲案内線１１，１１を備え、各折曲案内線１１，１１は、それぞれ少なくともいずれか一方の端部に切り残しを生じるように形成された包装用台紙。
【選択図】  図１
【図１】
0003656139.tif 000002
【図２】
0003656139.tif 000003
【図３】
0003656139.tif 000004
【図４】
0003656139.tif 000005